(57)【特許請求の範囲】
【請求項１】
眼球に設けられた切開創に挿入する挿入筒部と，該挿入筒部の基端側に設けられ使用の際に眼内レンズの光学部が載置される載置面を有する載置部とを有するレンズカートリッジを有し該レンズカートリッジ内の所定の空間に眼内レンズを位置した状態で置く挿入器具本体と、前記レンズカートリッジに配置された前記眼内レンズを押し出すために軸方向に移動可能に設けられた押出手段と、を有する眼内レンズ挿入器具と、
前記レンズカートリッジ内の前記所定の空間に前記眼内レンズを位置させるために外部から前記載置部内の空間まで延び，その上端に前記眼内レンズを載置して保持する保持台を有したホルダであって，使用時に前記眼内レンズ挿入器具に対して前記保持台と共に取り外されるホルダと、
を備え、
前記載置部は、前記保持台に保持されることにより前記所定の空間に位置した眼内レンズの光学部と前記載置面との間のスペースに外部から潤滑剤を注入するために前記載置面から外部に向けて形成された注入路を有することを特徴とする眼内レンズ挿入システム。
【請求項２】
請求項１の眼内レンズ挿入システムにおいて、前記注入路には、前記潤滑剤の注入に用いる注射器の注射針が前記載置面に向けて貫通するのを回避するために、前記注射針の先端の進行を規制する壁が設けられていることを特徴とする眼内レンズ挿入システム。
【請求項３】
請求項１の眼内レンズ挿入システムにおいて、前記注入路の送出口の位置が前記眼内レンズの光学部の中心付近にくるように形成されていることを特徴とする眼内レンズ挿入システム。
【発明の詳細な説明】
【技術分野】
【０００１】
本発明は、眼内レンズを眼内に挿入する眼内レンズ挿入器具、及びこれを備える眼内レンズ挿入システムに関する。
【背景技術】
【０００２】
被検眼の眼内に眼内レンズを挿入する際には、インジェクタと呼ばれる眼内レンズ挿入器具を使用する方法が一般的である。このような眼内レンズ挿入器具は、眼球に設けられた切開創に挿入する挿入筒部と，眼内レンズを載置するレンズ載置部とを持つカートリッジと、先端にカートリッジを装着し眼内レンズを送出するための挿入器具本体からなるものが一般的である（例えば、特許文献１参照）。特許文献１の場合、レンズ載置部は、下縁を連結するヒンジ部を有した開閉可能な２つの半割部材からなり、２つの半割部材を閉じあわせることにより眼内レンズが折り曲げ可能な構成となっている。
【特許文献１】特開平５−１０３８０３号
【発明の開示】
【発明が解決しようとする課題】
【０００３】
ところで、上記のような眼内レンズ挿入器具を用いて被検眼の眼内に眼内レンズを挿入させる際、レンズ載置部に形成されたレンズ載置面に載置される眼内レンズが挿入筒内で円滑に移動できるように潤滑剤（粘弾性物質）が用いられる。特許文献１に示すような眼内レンズ挿入器具において、このような潤滑剤を使用する場合、２つの半割部材を開いた状態でレンズ載置面全体にまんべんなく潤滑剤を塗布する。その後、眼内レンズを載置面に載置し、２つの半割部材を閉じ合わせて本体にセットする。
本発明は、上記従来技術の問題点を鑑み、手間をかけることなく潤滑剤を容易に注入できる眼内レンズ挿入システムを提供することを技術課題とする。
【課題を解決するための手段】
【０００４】
上記課題を解決するために、本発明は以下のような構成を備えることを特徴とする。
（１）  変形可能な眼内レンズを眼内に挿入するための眼内レンズ挿入器具であって、眼球に設けられた切開創に挿入する挿入筒部と，前記挿入筒部の基端側に設けられ前記眼内レンズを載置する載置面を有する載置部であって前記眼内レンズを折り曲げるために下縁を連結するヒンジ部を有した開閉可能な２つの半割部材からなる載置部とを有するレンズカートリッジと、該レンズカートリッジを先端に配置する筒構造の挿入器具本体と、該挿入筒部から眼内レンズを押し出すために前記挿入器具本体の筒内で軸方向に進退移動可能に設けられた押出手段とを有する眼内レンズ挿入器具において、前記載置部には、前記２つの半割部材が開いた状態で形成される前記眼内レンズと半割部材との間のスペースに対して外部から潤滑剤を注入するための注入路が設けられていることを特徴とする。
（２）  （１）の眼内レンズ挿入器具において、前記注入路は一方の前記半割部材外壁に注入口を有するとともに前記半割部材同士を閉じる際に向き合う前記一方の半割部材が持つ側壁に送出口を有するように形成されていることを特徴とする。
（３）  （２）の眼内レンズ挿入器具において、前記注入口は一方の前記半割部材底部に形成されていることを特徴とする。
（４）  （１）の眼内レンズ挿入器具において、前記注入路には、前記潤滑剤の注入に用いる注射器の注射針の先端の進行を規制する規制手段が設けられていることを特徴とする。
（５）  （４）の眼内レンズ挿入器具において、前記注入路の送出口の位置が前記眼内レンズの中心付近にくるように形成されていることを特徴とする。
（６）  （１）〜（５）に記載の眼内レンズ挿入器具をレンズカートリッジが配置された状態で前記挿入器具本体を固定保持するためのホルダを有し、該ホルダには前記眼内レンズを応力をかけることなく前記載置部内の所定の空間に位置させた状態で保管するためのレンズ保管部を有することを特徴とする。
【発明の効果】
【０００５】
本発明によれば、眼内レンズ挿入器具を使用する際に手間をかけることなく、潤滑剤を容易に注入できる。
【発明を実施するための最良の形態】
【０００６】
以下、本発明の実施形態について図面に基づいて説明する。図１は、本実施形態に係る眼内レンズ挿入システムの外観概略図である。図１（ａ）は、インジェクタ５０をホルダ３０に固定保持した状態を示す図である。
【０００７】
（１）  眼球に設けられた切開創に挿入する挿入筒部と，該挿入筒部の基端側に設けられ使用の際に眼内レンズの光学部が載置される載置面を有する載置部とを有するレンズカートリッジを有し該レンズカートリッジ内の所定の空間に眼内レンズを位置した状態で置く挿入器具本体と、前記レンズカートリッジに配置された前記眼内レンズを押し出すために軸方向に移動可能に設けられた押出手段と、を有する眼内レンズ挿入器具と、
前記レンズカートリッジ内の前記所定の空間に前記眼内レンズを位置させるために外部から前記載置部内の空間まで延び，その上端に前記眼内レンズを載置して保持する保持台を有したホルダであって，使用時に前記眼内レンズ挿入器具に対して前記保持台と共に取り外されるホルダと、
を備え、
前記載置部は、前記保持台に保持されることにより前記所定の空間に位置した眼内レンズの光学部と前記載置面との間のスペースに外部から潤滑剤を注入するために前記載置面から外部に向けて形成された注入路を有することを特徴とする。
（２）  （１）の眼内レンズ挿入システムにおいて、前記注入路には、前記潤滑剤の注入に用いる注射器の注射針が前記載置面に向けて貫通するのを回避するために、前記注射針の先端の進行を規制する壁が設けられていることを特徴とする。
（３）  （１）の眼内レンズ挿入システムにおいて、前記注入路の送出口の位置が前記眼内レンズの光学部の中心付近にくるように形成されていることを特徴とする。
【０００８】
図１（ｂ）は、インジェクタ５０をホルダ３０から取り外した状態を示す図である。ベース部３１の周囲には、保護壁３２が設けられ、ホルダ３０に保持されるインジェクタ５０を四方から保護する役割を持っている。また、ベース部３１にはインジェクタ５０を取り付け、固定するための取付手段となる基台３３ａ及び３３ｂが設けられている。
【０００９】
３４は眼内レンズ１を載置し、保持するための保持台である。保持台３４の横幅は、光学部２の径よりも短くされている。また、その高さはホルダ３０からインジェクタ５０を取り外す方向に所定量だけ延びている。また、保持台３４の上端には、眼内レンズ１の光学部２を載置するための窪み３５が設けられている。また、図示するように、窪み３５によって前後に形成される側壁３４ａは、眼内レンズ１の光学部２の径に合わせた曲面を有しており、窪み３５に眼内レンズ１（光学部２）を載置した際に、側壁３４ａにより光学部２を前後方向から挟持する構成となっている。また、窪み３５の光学部２が載置される底部分は、所定の曲率でカーブが付けられており、光学部２を載置した際に窪み３５の底部分に対して光学部２の中心以外の周辺部分で当接できるようになっている。このような構成により、眼内レンズ１をより安定して載置（保持）することができる。また、保持台３４は、窪み３５に眼内レンズ１を収めることで、後述する載置部１２内の所定の空間に眼内レンズ１を位置させた状態で保管するためのレンズ保管部を兼ねることとなる。
【００１０】
図２は、カートリッジ１０に載置される眼内レンズ１の構成を説明するための概略構成図である。インジェクタ５０を用いて眼内に挿入される眼内レンズ１は、所定の屈折力を有する光学部２と、光学部２を眼内で支持するための支持部３からなる。眼内レンズ１の光学部２は、折り曲げ（変形）可能な材料から形成されており、例えば、ＨＥＭＡ（ヒドロキシエチルメタクリレート）等の単体や、アクリル酸エステルとメタクリル酸エステルの複合材料等の親水性、疎水性の軟性材料を用いることができる。
【００１１】
図３は本実施形態のカートリッジ１０の概略構成を示す斜視図である。カートリッジ１０は、図示するように、先端に向かうにしたがって、その径が徐々に小さく（細く）なるテーパ形状を有する挿入部１１と、眼内レンズ１を設置する載置部１２とが一体的に形成されている。
【００１２】
眼球に設けられた切開創に挿入する挿入部１１は中空の筒形状となっており、折り畳まれた眼内レンズ１が、この中空部分を通して外部に送り出されるようになっている。また、挿入部１１の基端側に設けられた載置部１２は、２つの半割部材１２ａ，１２ｂから形成されており、半割部材１２ａ及び１２ｂの下縁同士がヒンジ部１３によって連結され、開閉可能となっている。１４ａ及び１４ｂは半割部材１２ａ，１２ｂに各々設けられた載置面（台）であり、眼内レンズ１を載せる載置面の形状（壁面形状）は、眼内レンズ１を折り曲げる方向に沿った曲面を有している。なお、ヒンジ部１３によって連結された半割部材１２ａ及び１２ｂは、所定の間隔を維持できる程度に半開状態を維持できる構成となっている。所定の間隔をとる構成とは、載置部１２に眼内レンズ１を載置した状態であっても、半割部材１２ａ及び１２ｂが眼内レンズ１に対して折り曲げるだけの応力をかけることなく、眼内レンズ１を両側から挟み込んで、眼内レンズ１の左右の移動を規制している構造を指す。また、半割部材１２ａ及び半割部材１２ｂは、両部材が閉じ合う際に、互いに向き合った状態に位置する側壁１２ａ1と側壁１２ｂ1をそれぞれ有し、半割部材１２ａと半割部材１２ｂとが下縁（ヒンジ１３）を軸に開いた際には、この側壁１２ａ1と側壁１２ｂ1とによって断面略Ｖ字型のＶ字スペース１９が形成される（図７（ｃ）参照）。ここで、眼内レンズ１及びＶ字スペース１９を上方より見た場合（図示は略す）、載置部１２に載置される眼内レンズ１の光学部２の中心付近がＶ字スペース１９上に位置するようになっている。
【００１３】
１８はウイングで、カートリッジ１０をハンドピース２０に固定する際に用いられる。８０はヒアルロン酸ナトリウム等からなる潤滑剤をカートリッジ１０内に注入させるための注入路である（詳しくは、後述する）。
また、半割部材１２ａ及び１２ｂを閉じ合わせると、載置面の壁面形状（載置面形状）が変形し、挿入部１１の基端側開口形状（半円形状）と略一致するようになっている。１５ａ及び１５ｂは、半割部材１２ａ、１２ｂの各々の上部に設けられたカバーであり、半割部材１２ａと半割部材１２ｂとが閉じ合ったときに、載置面１４ａ及び載置面１４ｂの上方を覆うように形成されている。なお、カバー１５ｂの端部には、カバー１５ｂの長手方向に沿って載置面の上方から下方に向かって延びるように形成された凸部１６が設けてある。この凸部１６は、カートリッジ１０にセットされた眼内レンズ１を折り曲げる際に、その折り曲げを常に載置面の内壁面（載置面）に沿って行うように規制する役目を果たしている。
【００１４】
１７ａ、１７ｂは半割部材１２ａ、１２ｂにそれぞれ設けられた嵌合部材である。図示するように、嵌合部材１７ａ、１７ｂは、カバー１５ａ、１５ｂの面から上方にのびた部材であり、嵌合部材１７ａには嵌合部材１７ａ，１７ｂ同士を閉じ合わせるための凹部１７ａ1が、嵌合部材１７ｂには前述の凹部１７ａ1と嵌合するフック１７ｂ1が設けられている。半割部材１２ａと１２ｂが閉じられる際に、嵌合部材１７ａと１７ｂが閉じ合わさる。このとき、凹部１７ａ1とフック１７ｂ1が嵌め合い、載置部１２が閉じ合わさり、半割部材１２ａと１２ｂはヒンジ１３による半開状態から、閉じた状態を維持する。
【００１５】
図４はハンドピース２０の構成を示す概略図である。図４（ａ）はハンドピースの概略構成を示した斜視図、図４（ｂ）は概略断面図を示す。図示するように、ハンドピース２０は中空の筒である筒部２６を持ち、その先端には、カートリッジ１０を装着するための装着部２０ａが設けられている。また、眼内レンズ１を押し出すために挿入器具２０の筒部２６内で軸方向に進退移動可能に設けられた押出手段となる押出棒２５が設けられ、筒部２６の外周には眼内レンズ１の挿入時に術者が指をかける部材となる取手２４が設けられている。
【００１６】
図示するように、装着部２０ａは、ガイド２１、把持部２２、固定部２３により構成される。ガイド２１はハンドピース２０の先端を円周で４分の１程度残した形状をしている。また、ガイド２１上に設けられた固定部２３の両端には、カートリッジ１０を装着した際にウイング１８の基端を固定保持するための固定部２３ａ，２３ｂが形成されている。
【００１７】
挿入部１１の根元部分を把持する把持部２２は、ハンドピース２０の中心軸を取り囲むように、円周の２分の１よりやや長めの円弧からなる略Ｃ字形状にて形成されており、カートリッジ部１０の動きを制限する。また、固定部２３は、ハンドピース２０の中心軸よりも若干上方に位置しており、差し込まれたカートリッジ１０の動きを規制する。また、把持部２２と固定部２３ａとの間は、カートリッジ１０の挿入部１１の根元から半割部材１２ａ、１２ｂの端までの前後方向の幅と略一致しており、カートリッジ１０が把持部２２と収まる構造となっている。また、ガイト２１はカートリッジ１０の半割部材１２ａを保持し、カートリッジ１０の動きを規制する。
装着部２０ａにカートリッジ１０を取り付ける際には、ガイド２１に半割部材１２ａの底面が当接する。そして、半割部材１２ａの外壁は円形状をしているため、ガイド２１に密着固定される。このとき、半割部材１２ｂは固定しないため、載置面１２は閉じられることがない。
【００１８】
なお、把持部２２は、装着されたカートリッジ１０を係止し、容易にハンドピース２０から外れないようにするスナップイン構造を有していてもよい。また、ガイド２１の円周は、筒部２６の円周に対し、４分の１程度である。このため、ガイド２１は半割部材１２ａをハンドピース２０に固定するのみで、半割部材１２ｂを固定はしない。よって、半割部材１２ａ，１２ｂを閉じ合わせる方向の力が生じない。従って、カートリッジ１０にハンドピース２０が装着されても、カートリッジ１０の半開状態は維持される。
【００１９】
図５（ａ）は、ホルダ３０にインジェクタ５０が固定された状態を上方より見たときの図である。図５（ｂ）は、ホルダ３０及びインジェクタ５０のＡ−Ａ'方向の断面を見たときの断面概略図である。
前述したように保持台３４の横幅は、光学部２の径よりも短くされており、カートリッジ１０（半割部材１２ａ，１２ｂ）の半開の邪魔をしないとともに、載置された光学部２の一部が窪み３５から、横方向にせり出すようになっている（図５（ｂ）参照）。よって、ホルダ３０からインジェクタ５０を図示する矢印方向に向けて取り外す際に、半開しているカートリッジ１０の載置面１４ａ，１４ｂに眼内レンズ１が引っ掛かり、載置部１２内に残ることとなる。
【００２０】
また、カートリッジ１０の載置面１２は、外力が加えられていない状態では半開状態となっており、保持台３４の窪み３５に置かれている眼内レンズ１は、カートリッジ１０に覆われる（眼内レンズ１の光学部２が、載置部１２の内壁に接触しない状態で、載置部１２内に形成される中空部分に位置する）。このような構成により、眼内レンズ１とインジェクター５０が保護される。なお、図示するように、押出棒２５は基台３３ｂにより、軸方向への動きを規制される。押出棒２５の先端は、カートリッジ１０の基端よりも、ハンドピース２０側に置かれる。このような構成により、インジェクタ５０の運搬中に、眼内レンズ１が押出棒２５により送出されることを低減できる。
【００２１】
図６は、カートリッジ１０内に潤滑剤を注入するために潤滑剤注入用注射器９０の構成を示す図である。注射器９０は、先端付近が折り曲がった注射針９１、シリンダ部９２、ピストン部９３を持つ。また、注射器９０のシリンダ部９２の中には、載置部１２内及び挿入筒１１内で眼内レンズ１を円滑に移動させるための潤滑剤Ｊが封入されている。
【００２２】
図７（ａ）は、インジェクタ５０を上方より見たときの図であって、カートリッジ１０付近を拡大したものである。図７（ｂ）は、インジェクタ５０のＢ−Ｂ'方向の断面を見たときの断面概略図（拡大図）である。図７（ｃ）は、インジェクタ５０のＣ−Ｃ'方向の断面を見たときの断面概略図（拡大図）である。
【００２３】
７０は潤滑剤を注入するための注射器の針をカートリッジ１０に形成された注入路８０に挿入させるための挿入口であり、カートリッジ１０の一部を外側から覆うガイド部２１に形成されている。挿入口７０は、ガイド部２１の内壁側端面に注射針９１の針が通る程度の大きさの狭いカートリッジ側開口７１、ガイド部２１の外壁側端面に挿入器具５０の軸方向に延びたスリット状開口７２、開口７２の押出棒２５側端部７２ａから開口７１に向かって傾斜する（軸方向に対して傾斜する）傾斜部７３、挿入器具５０の軸方向に垂直な挿入部１１側の壁７４、左右を取り囲む左右壁によって形成されている。なお、カートリッジ側開口７１は、ガイド部２１に装着された状態のカートリッジ１０の注入路８０と連通するように形成されている。また、スリット状開口７２は、上面から見ると、カートリッジ側開口７１を上端として、押出棒２５側方向（後ろ方向）に向かって延びたような形状となっている。この場合、傾斜部７３の傾斜が前後方向に形成されるため、検者は、挿入口６０に対して注射針９０の針を容易に挿入することができる。
【００２４】
８０は潤滑剤Ｊをカートリッジ１０内に注入させるための注入路（注入孔）であり、２つの半割部材１２ａ及び１２ｂが開いた状態で形成される眼内レンズ１と半割部材１２ａ及び１２ｂとの間のスペースに対して外部から潤滑剤Ｊを注入できるようになっている。注入路８０は、載置部１２の半割部材１２ａの一部に形成されており、注入路８０に注射針９０が挿入された状態で潤滑剤Ｊの注入が行われる。この場合、注入路８０は、半割部材１２ａの外壁から半割部材１２ａの側壁１２ａ1までを結ぶ通路を形成している。
【００２５】
注入路８０は、挿入口７０の開口７１と連通する注入口８１を有する。この注入口８１は、半割部材１４ａの底部に形成されている。図７（ｃ）に示すように、注入路８０は、注入口８１から半割部材１２ａの内部に向って側壁１２ａ1の一部が所定量削り取られた状態で形成され、出口となる送出口８２はＶ字スペース１９と同空間に形成される。
【００２６】
なお、注入路８０は、注入口８１から眼内レンズ１を載置する載置面１４ａに向けて注射針９１を貫通させず、途中で止めることにより、注射針９１の先端の進行を規制する壁８３を設けている。その結果、注射器９０を用いて潤滑剤Ｊをカートリッジ１０内に注入する際に、注入路８０に挿入された注射針９３の挿入方向（矢印Ｆ方向）への移動を規制し、注射針９１先端が眼内レンズ１の後面１ａに接触して眼内レンズ１に傷が付いてしまうのを防ぐ。
【００２７】
また、壁８３は、図７（ｃ）に示すように、注射針９１の挿入方向に対して所定の傾きを持つように形成されており、注射針９１が送出口８２から眼内レンズ１に向うのを規制する針返しの役割を有する。この場合、注入路８０に挿入された注射針９１の先端部分は、壁８３に当接され、側壁の方向にガイドされる。すなわち、注入路８０に挿入された注射針９１の先端の位置のＶ字スペース１９側への移動が規制される。これにより、注射針９１の先端が送出口８２を介して眼内レンズ１に向かうのを防止できる。よって、注射針９１の先端部分と眼内レンズ１との接触を規制することができ、眼内レンズ１に傷がついてしまうのを回避することができる。
【００２８】
以上のような構成を持つ眼内レンズ挿入システム１００を使用する動作を説明する。まず、術者（使用者）は、眼内レンズ挿入システム１００を、無菌状態を維持するためのケース（図示を略す）から取り外した後、ホルダ３０からインジェクタ５０を取り外す。このとき、図５に示す矢印の方向（ホルダ３０から真上に引き抜く方向）にカートリッジ１０が移動することとなる。このとき、窪み３５に載置されている眼内レンズ１は、取り外す方向に対して移動が規制されていないため、カートリッジ１０の移動とともに載置面１４ａ，１４ｂに当接した状態で押し上げられ、規制部材３４（窪み３５）から外れ、カートリッジ１０内部に残る。
【００２９】
次に、潤滑剤Ｊをカートリッジ１０内に注入する際の動作について説明する。まず、検者は、注射針９１を挿入口７０から注入路８０の中に挿入する。注射針９１が注入路８０内に挿入され、さらに、奥方向（カートリッジ１０の内側）に挿入されていくと、針９１の先端部分が壁８３に当接される。このとき、前述のように、壁８３によって注射針９１の先端部分が送出口８２側に向かわないようにガイドされる。そして、検者は、注射器９０のピストン９３を押すと、注射器９０内に封入された潤滑剤Ｊが注射器の針の管内を通って、注射針９１の先端から流出される。流出された潤滑剤Ｊは、より広いスペースがある方に多く進んでいくので、Ｖ字スペース１９周辺に溜められる（図７（ｃ）参照）。
【００３０】
このようにしてカートリッジ１０内に潤滑剤が一定量注入されたら、検者は、ヒンジ部１３が下側に来るように挿入器具５０を回転させる。このとき、眼内レンズ１の上に溜まった潤滑剤Ｊは、Ｖ字スペース１９に溜まった状態となる（図８参照）。そして、検者は、カートリッジ１０の嵌合部材１７ａ、１７ｂを閉じ合わせていく。この動作により、半割部材１２ａ、１２ｂが閉じ合わされていく。これにより、Ｖ字スペース１９の間隔が狭くなるので、Ｖ字スペース１９に溜まった潤滑剤Ｊは、レンズ載置面１４ａ及び１４ｂと眼内レンジ１とのスペースに徐々に押し出されていく。その後、凹部１７ａ1とフック１７ｂ1を嵌め合わせられると、Ｖ字スペース１９は閉じられた状態となり、潤滑剤は、載置部１４の載置面と眼内レンズ１と間に介在した状態となる。なお、注入路８０（注入口８１）は注射針が通る程度の径（０．５ｍｍ程度）であるため、潤滑剤Ｊが外部に漏れ出すことは極力抑えられる。
【００３１】
なお、半割部材１２ａ、１２ｂが閉じ合わされる際、載置面１４ａと載置面１４ｂとの幅（間隔）が狭くなっているため、載置面の壁面にて眼内レンズ１を左右方向から押すこととなる。その結果、眼内レンズ１に応力が掛けられた状態となり、眼内レンズ１は載置面１４ａ，１４ｂの壁面（載置面）に沿って折り曲げられることとなる。
なお、眼内レンズ１が反対側に折り曲げられようとした場合には、眼内レンズ１の上面が凸部１６に当たり、その方向への折り曲げが規制されるため、最終的には載置面１４ａ，１４ｂの壁面に沿って折り曲げられることとなる。
【００３２】
以上の説明のように、半割部材１２ａ及び１２ｂの閉じ合わせ動作に応じて、Ｖ字スペース１９に溜まった潤滑剤Ｊが除去に押し出されていくいき、潤滑剤Ｊが眼内レンズ１のレンズ面全体に行き渡る。以上のような構成により、カートリッジ１０に眼内レンズ１を載置する手間をかけることなく、従来のように載置部１２のレンズ載置面に潤滑剤を塗布する手間がなくなるため、検者は、カートリッジ内１０に潤滑剤Ｊを容易に注入することができる。
【００３３】
なお、カートリッジ１０内に注入される潤滑剤Ｊの出口となる送出口８２の位置は、インジェクターの軸方向において、カートリッジ１０内に載置される眼内レンズ１の光学部２の中心付近下に位置するように形成されており、カートリッジ１０内に注入される潤滑剤Ｊが眼内レンズ１の中心付近及びＶ字スペース１９に溜まるように載置部１２に形成されている。このようにすれば、その送出口８２の形成位置と、前述のように眼内レンズ１の光学部２の中心付近とＶ字スペース１９とは上方から見て重なるように載置されたことで、潤滑剤Ｊをカートリッジ１０内に注入した際に、潤滑剤Ｊは眼内レンズ１の中心付近及びＶ字スペース１９に溜まっていく。このため、載置部１２を閉じあわせる際に、眼内レンズ１のレンズ面全体に潤滑剤Ｊが行き渡りやすい。
【００３４】
その後の動作について簡単に説明する。眼内レンズ１がインジェクタ５０に装填された後に、押出棒２５を押して、押出棒２５を前方に移動させていく。押出棒２５は、ハンドピース２０の筒内を先端に向かって移動し、眼内レンズ１を前方の挿入部１１に押していく。眼内レンズ１が挿入部１１内に入り、挿入部１１の開口径が狭くなってくると、眼内レンズ１は挿入部１１内部の壁面に沿って折り曲げられていく（丸め込まれていく）。その結果、挿入部１１の先端から小さく折り曲げられた眼内レンズ１が眼内に押出されることとなる。
【００３５】
なお、本実施形態では半割部材の底部に注入口８１を形成させたものとしているが、これに限るものではなく、挿入する注射針が眼内レンズに接触せず、眼内レンズの後面（載置面と接する面）側に潤滑剤が塗布できるような注入路が設けられていればよい。例えば、半割部材の外部側壁側からＶ字スペース（半割部材が開いた状態のときに形成されるスペース）に向けて貫通路を形成することもできる。また、本実施形態ではカートリッジ（載置部）を保持するためのガイド部材を設けているために、このガイド部材に注入路と連通する挿入口を設けるものとしているが、カートリッジ周辺がガイド部材で覆われていなければ、このような挿入口を設ける必要がないことは言うまでもない。
【図面の簡単な説明】
【００３６】
【図１】本実施形態に係る眼内レンズ挿入システムの外観概略図である。
【図２】カートリッジに載置される眼内レンズの構成を説明するための概略構成図である。
【図３】本実施形態のカートリッジの概略構成を示す斜視図である。
【図４】ハンドピースの構成を示す概略図である。
【図５】（ａ）はホルダにインジェクタが固定された状態を上方より見たときの図であり、（ｂ）はホルダ及びインジェクタのＡ−Ａ'方向の断面を見たときの断面概略図である。
【図６】カートリッジ内に潤滑剤を注入するために潤滑剤注入用注射器の構成を示す図である。
【図７】（ａ）はインジェクタ５０を上方より見たときの図であって、カートリッジ１０付近を拡大したものであり、（ｂ）はインジェクタのＢ−Ｂ'方向の断面を見たときの断面概略図であり、（ｃ）はインジェクタのＣ−Ｃ'方向の断面を見たときの断面概略図である。
【図８】ヒンジ部が下側に来るように挿入器具を回転させた際の図である。
【符号の説明】
【００３７】
１  眼内レンズ
１０  カートリッジ
１２  載置部
１２ａ  半割部材
１２ｂ  半割部材
２０  挿入器具本体
３０  ホルダ
７０  挿入口
８０  注入路
８１  注入口
８２  送出口
８３  壁
【図１】
0004699216.tif 000002
【図２】
0004699216.tif 000003
【図３】
0004699216.tif 000004
【図４】
0004699216.tif 000005
【図５】
0004699216.tif 000006
【図６】
0004699216.tif 000007
【図７】
0004699216.tif 000008
【図８】
0004699216.tif 000009